(57)【要約】【課題】  化学反応による染毛剤を使用することなく、頭髪を多く見せたり、太く見せたりすることができ、髪の質感を変えるとともに、頭髪に高彩度な化粧膜を付与することのできる技術を提供すること。【解決手段】  着色された、屈折率の異なる２種類以上の高分子化合物を含む干渉繊維を含有することを特徴とする頭髪化粧料。【選択図】なし【特許請求の範囲】
【請求項１】
着色された、屈折率の異なる２種類以上の高分子化合物を含む干渉繊維を含有することを特徴とする頭髪化粧料。
【請求項２】
前記高分子化合物の少なくとも１種が、ポリエチレンテレフタレート、ナイロンまたはポリプロピレンから選択されたものである請求項１記載の頭髪化粧料。
【請求項３】
前記繊維を着色する着色剤が、水溶性のタール系色素である請求項１または２に記載の頭髪化粧料。
【請求項４】
前記繊維の長さが０.０１ｍｍ以上５ｍｍ以下である請求項１〜３のいずれかに記載の頭髪化粧料。
【請求項５】
前記繊維の太さが０.０１デニール以上２０デニール以下である請求項１〜４のいずれかに記載の頭髪化粧料。
【請求項６】
前記繊維は、その表面がシリカで処理されたものである請求項１〜５のいずれかに記載の頭髪化粧料。
【請求項７】
更に、皮膜形成性ポリマーを含有する請求項１〜６のいずれかに記載の頭髪化粧料。
【請求項８】
着色された、屈折率の異なる２種類以上の高分子化合物を含む干渉繊維の含有量が０.１〜５０質量％である請求項１〜７のいずれかに記載の頭髪化粧料。
【請求項９】
皮膜形成性ポリマーの含有量が０.０１〜４０質量％である請求項７または８記載の頭髪化粧料。
【請求項１０】
透明から半透明の外観を有するものである請求項１〜９のいずれかに記載の頭髪化粧料。
【発明の詳細な説明】
【技術分野】
【０００１】
本発明は、着色された干渉光を呈する繊維を含有する頭髪化粧料に関し、更に詳しくは、頭髪に均一で高彩度な化粧膜を与え、頭髪の質感を光学的に変化させ従来にない立体感、審美性を与え、さらにはその化粧効果の持続性に優れる頭髪化粧料に関する。
【背景技術】
【０００２】
近年、頭髪化粧料においては、従来の頭髪補修効果や整髪力向上に関する技術に加え、様々なヘアメイク効果を持ち合わせた製品が開発されている。その背景には、ヘアカラーの流行により頭髪を様々な色味に染め、ファッションの一部として取り入れられるようになったことが挙げられる。
【０００３】
しかし、染毛剤は化学反応により頭髪内部のメラニン色素を分解して脱色を行うと同時に頭髪内部で色素を重合させて染色を行うため、頭髪にダメージを与えてしまい、頭髪がパサついたり、切れやすくなったりする場合があった。そこで、化学反応を起こさずに気軽にヘアメイクを楽しめる一時染毛料が見直されるようになってきた。特に頭髪を多く見せること、太く見せること、髪の質感を変えること、頭髪に高彩度な化粧膜を付与することに着目してナイロンなどの繊維を配合する検討が数多くなされている。
【０００４】
このような技術としては、水溶性高分子を用いた組成物に、カーボンブラック等の顔料で着色された繊維を配合することにより、自然な仕上がり感を演出することができる技術（例えば、特許文献１参照）、高彩度色素により着色された繊維を用いることで、使用部位に高彩度な化粧膜を付与し、際立たせるといった技術（例えば、特許文献２参照）、脂肪酸の揮発性塩基と固形脂と水溶性ポリマーと繊維状物質を組み合わせることによりボリュームを出すことを目的とした技術（例えば、特許文献３参照）等が知られている。  
【０００５】
しかしながら、ナイロン繊維にカーボンブラックや酸化チタン等の顔料を配合した繊維を使用したものは、彩度に欠け、使用部位に高彩度な化粧膜を付与する化粧効果を充分に得ることができなかった。また、染料等で着色された繊維については、高彩度な化粧膜は得られるものの、色素の色味がそのまま付与されるだけで質感の変化に乏しく、充分な化粧効果を得ることができなかった。さらに、得られた化粧膜は、水や油になじみやすく、化粧効果の持続性といった点で不十分であった。また、脂肪酸の揮発性塩基と固形脂と水溶性ポリマーと繊維状物質を組み合わせる技術においては、ボリューム感は得られるもののやはり質感の変化に乏しく高彩度な化粧膜は得られず、化粧膜の均一性においても乏しく満足のいくものを得ることができなかった。
【０００６】
【特許文献１】特開平１０−２９１９１７号公報
【特許文献２】特開２０００−３１９１３２号公報
【特許文献３】特開２００３−１３７７３８号公報
【発明の開示】
【発明が解決しようとする課題】
【０００７】
従って、化学反応による染毛剤を使用することなく、頭髪を多く見せたり、太く見せたりすることができ、髪の質感を変えるとともに、頭髪に高彩度な化粧膜を付与することのできる技術の開発が求められていた。
【課題を解決するための手段】
【０００８】
本発明者は、上記課題を解決するため、鋭意研究を重ねた結果、屈折率の異なる２種類以上の特定の高分子化合物を積層した干渉光を呈する着色繊維を、更に着色し、これを毛髪化粧料に用いることにより、頭髪に均一で高彩度な化粧膜を形成すると共に、光学的に質感を変化させることができ、従来にない立体感および優れた審美性を与えることができ、さらにその化粧効果の持続性も優れた頭髪化粧料が得られることを見出し、本発明を完成するに至った。
【０００９】
すなわち本発明は、着色された、屈折率の異なる２種類以上の高分子化合物を含む干渉繊維を含有することを特徴とする頭髪化粧料を提供するものである。
【００１０】
また本発明は、上記繊維に加え皮膜形成性ポリマーを含有する頭髪化粧料を提供するものである。
【００１１】
更に本発明は、透明から半透明の外観を有する上記頭髪化粧料を提供するものである。
【発明の効果】
【００１２】
本発明の頭髪化粧料は、頭髪に均一で高彩度な化粧膜を与え、頭髪の質感を光学的に変化させるという、従来にない立体感、審美性を与え、さらにはその化粧効果の持続性に優れるという利点があるものである。
【発明を実施するための最良の形態】
【００１３】
本発明の頭髪化粧料に使用される、着色された、屈折率の異なる２種以上の高分子化合物を含む干渉繊維（以下、「着色干渉繊維」という）は、少なくとも２種類以上の高分子化合物で構成される層状の断面構造（積層断面）を有する複合繊維を、着色剤で着色した繊維であり、この複合繊維は干渉色として、赤色、黄色、緑色、青色、紫色等を呈するものである。断面形状については、平行積層部を保護層でつつんだ扁平断面干渉繊維が、化粧料として毛髪等に付着しやすく、また一方向からの発色をより強くみせるためにも望ましい。この着色干渉繊維に使用される高分子化合物は、通常、化粧料に使用されるものであれば特に限定されないが、例えば、ナイロン、ポリエチレンテレフタレート、ポリプロピレン、ポリカーボネイト、ポリメチルメタクリレート、ポリエステル等があげられる。これらの高分子化合物のなかでも、ポリエチレンテレフタレートとナイロンの組み合わせは、干渉光を強く呈し、また繊維工程安定性も良好で、本願発明の効果がより顕著に現れるため好ましい。
【００１４】
また、本発明の着色干渉繊維の製造において使用される着色剤としては、通常化粧料に使用されるものであれば特に制限されず、いずれのものも使用できる。例えば、赤色２号、赤色３号、赤色１０２号、赤色１０４号（１）、赤色１０５号（１）、赤色１０６号、黄色４号、黄色５号、緑色３号、青色１号、青色２号、赤色２０１号、赤色２１３号、赤色２１４号、赤色２１５号、赤色２２７号、赤色２３０号（１）、赤色２３０号（２）、赤色２３１号、赤色２３２号、橙色２０５号、橙色２０７号、黄色２０３号、緑色２０１号、緑色２０４号、緑色２０５号、青色２０２号、青色２０３号、青色２０５号、かっ色２０１号、赤色４０１号、赤色５０２号、赤色５０３号、赤色５０４号、赤色５０６号、橙色４０２号、黄色４０２号、黄色４０３号（１）、黄色４０６号、黄色４０７号、緑色４０１号、緑色４０２号、紫色４０１号、黒色４０１号等の水溶性のタール系色素、赤色２０２号、赤色２１８号、赤色２２３号、赤色２２６号、赤色２２８号、橙色２０１号、黄色２０１号、黄色２０５号、青色２０１号、青色２０４号、紫色２０１号、赤色４０４号、赤色４０５号、橙色４０１号、黄色４０１号、黄色４０４号、黄色４０５号、青色４０３号、青色４０４号等の水不溶性のタール系色素、クチナシ色素、ベニバナ色素、ウコン色素、パプリカ色素、アナトー色素、コチニール色素等の天然色素、酸性、塩基性色素、及び分散染料等が挙げられるが、中でも水溶性のタール系色素が着色性、安定性が高く、顕著な化粧効果が得られのため最も好ましい。また、これらの着色剤は、１種又は２種以上を使用することが可能であり、複合繊維に種々の色調を付与することができる。
【００１５】
着色干渉繊維の製造に当たって、着色剤で繊維を着色する場合の着色量は、特に制限されず、目的に応じて決められるが、着色干渉繊維全体の０.０１〜３０質量％（以下、単に「％」と示す。）が好ましく、更に０.０１〜１０％が好ましい。この範囲であれば使用部位に高彩度な化粧膜を付与するといった化粧効果が充分に得られる。また、着色剤の色は、干渉色と同系色であると、光干渉に必要な波長を積層部に達することを阻害しないため、効果的である。干渉色と反対色で着色すると、干渉効果を発現する波長を着色剤が吸収してしまうため、干渉繊維の発色は減少してしまう場合がある。このため、干渉繊維の発色と同系色もしくは補色関係にない色で着色すると、干渉光を強く呈し、本願発明の効果がより顕著に現れるため、好ましい。なお、ここでいう同系色とは、Ｐ.Ｃ.Ｃ.Ｓ色彩体系の２４色相環表上において、となりあう色相を意味し、例えば、干渉色が赤の場合は、赤紫〜橙を同系色とする。また、干渉色が黄色の時は、橙〜黄緑を、干渉色が緑の場合は、黄緑〜青を、干渉色が紫の場合は、青紫〜赤紫をそれぞれ同系色とする。
【００１６】
本発明の着色干渉繊維の製造方法は、特に制限されず、従来の高分子化合物から繊維を得る方法が利用できるが、好ましい方法の例としては次の方法を挙げることができる。すなわち、特開平７−３４３２４号公報、特開平１１−１８２９号公報またはＷＯ９８／４６８１５号パンフレットに記載の方法に従って屈折率の異なる高分子化合物を積層し、干渉光を呈する繊維（干渉繊維）を製造した後、それを常法に従って染料で着色する方法や、上記記載の方法中、繊維製造時にあらかじめ着色剤を高分子化合物に分散し、これをもちいて直接着色干渉繊維を製造する方法等があげられる。
【００１７】
本発明の頭髪化粧料に配合するに当たっての着色干渉繊維の長さ及び太さは、特に制限されないが、化粧効果や、良好な使用感と均一な化粧膜の形成の点から、長さは０.０１〜５ｍｍが好ましく、更に好ましくは０.１〜３ｍｍである。また、太さは、０.０１〜２０デニール（以下、単に「Ｄ」と示す。）が好ましく、更に好ましくは０.１〜１３Ｄである。また、着色干渉繊維の断面形状は、円形であっても扁平な楕円形であっても良いが、楕円形の方がより干渉があらわれ好ましい。更に、化粧効果として透明感、立体感を得るためには、各々の高分子化合物で構成される層が、５層ないし１２０層、好ましくは、３０層ないし９０層で交互に積層し、かつ、それぞれの層の厚みが０.０２〜０.３μｍの範囲にあることが好ましい。これらの繊維は、材質、太さ、長さの異なる１種又は２種以上を用いることができる。
【００１８】
本発明の着色干渉繊維は、そのまま毛髪化粧料中に配合しても良いが、表面処理することにより、化粧料中での分散性が向上し、化粧効果の持続性が格段に向上するので、表面処理したものを使用することがより好ましい。着色干渉繊維の表面処理に使用する表面処理剤としては通常化粧料に使用されるものであれば特に制限されず、いずれのものも使用でき、例えば、一般油剤、シリコーン油、フッ素化合物、界面活性剤、シリカ等を挙げることができる。しかしながら、特に好ましい表面処理剤として、シリカ及び／又はフッ素化合物を挙げることができる。
【００１９】
上記表面処理のうち、例えば、シリカによる表面処理の場合は、溶媒に表面処理剤としてのシリカと上記繊維を入れ、これを十分に攪拌して上記繊維にシリカを被覆又は付着させる方法や、溶媒に懸濁させたシリカを繊維に吹き付ける方法等が利用される。また、フッ素化合物による表面処理の場合は、これをアセトン、トルエン等の有機溶媒に加熱溶解せしめ、その中に上記繊維の１種又は２種以上の混合物を加え、撹拌後溶媒を留去して繊維上にフッ素化合物を被覆又は付着させ、場合によっては更に焼き付け処理をする方法等が利用される。
【００２０】
着色干渉繊維に対する表面処理剤の使用量は、特に制限されず、目的に応じて決められるが、表面処理された着色干渉繊維全体の０.０１〜３０％が好ましく、更に０.１〜２０％が好ましい。この範囲であれば繊維の分散性が向上し、化粧効果が顕著に現れ、その効果の持続性が充分に得られる。
【００２１】
以上のようにして得られた着色干渉繊維は、これを公知の頭髪化粧料基材に配合することにより、頭髪化粧料とすることができる。頭髪化粧料中での着色干渉繊維の含有量は、特に限定はないが、０.１〜５０％が好ましく、更に０.５〜３０％が、頭髪に均一で高彩度な化粧効果を与え、頭髪の質感を光学的に変化させ、優れた立体感、審美性を付与し、またその化粧効果の持続性に優れるため好ましい。
【００２２】
本発明の頭髪化粧料は、更に皮膜形成性ポリマーを配合することにより、より優れた化粧効果を得ることができる。使用される皮膜形成性ポリマーは、通常化粧料に使用されるものであれば、特に制限はなく、ノニオン性、カチオン性、アニオン性、両性のいずれでも使用できる。
【００２３】
これら皮膜形成性ポリマーノニオン性皮膜形成性ポリマーの具体例としては、ＰＶＰ／ＶＡ（ＩＳＰ社製）、ルビスコールＶＡ（バディッシュ社製）、ＰＶＡ６４５０（大阪有機化学工業社製）で代表されるビニルピロリドンと酢酸ビニル共重合体、ＰＶＰＫ（ＩＳＰ社製）、ルビスコールＫ（バディッシュ社製）で代表されるポリビニルピロリドン、ルビフレックスＤ４１０１（バディッシュ社製）、ポリビニルアルコール、ビニルピロリドン、酢酸ビニル、アルキルアミノエチルアクリレート共重合体、ヒドロキシエチルセルロース、ヒドロキシプロピルセルロース、ヒドロキシプロピルメチルセルロース、メチルセルロース、エチルセルロース、デキストリン、ガラクタン、プルラン等が挙げられる。
【００２４】
また、カチオン性皮膜形成性ポリマーの具体例としては、マーコート１００（メルク社製）で代表されるポリジメチルジアリルアンモニウムハライド型カチオン性ポリマー、マーコート５５０（メルク社製）で代表されるジメチルジアリルアンモニウムハライドとアクリルアミドの共重合体カチオン性ポリマー、ポリマーＪＲ４００、ポリマーＪＲ１２５及びポリマーＪＲ３０Ｍ（ＵＣＣ社製）で代表される第四級窒素含有セルロースエーテル、ポリコートＨ（ヘンケル社製）で代表されるポリエチレングリコール、エピクロルヒドリン、プロピレンアミン、タロイルアミノの共重合体、ポリコートＮＨ（ヘンケル社製）で代表されるポリエチレングリコール、エピクロルヒドリン、ヤシ油アルキルアミン、ジプロピレントリアミンの共重合体、ＨＣポリマー１、１Ｎ、２、ＨＣポリマー３Ａ（大阪有機化学工業社製）、ガフコート７５５及び７３４（ＩＳＰ社製）で代表されるビニルピロリドン・ジメチルアミノエチルメタクリレート共重合体カチオン化合物等が挙げられる。
【００２５】
更に、アニオン性皮膜形成性ポリマーの具体例としては、アニセットＫＢ−１０００、ＫＢ−１００Ｈ、Ｂ−１０１５、ＨＳ−３０００（大阪有機化学工業社製）、プラスサイズＬ−３３、Ｌ−５５（互応化学工業社製）で代表される（メタ）アクリル酸・（メタ）アクリル酸アルキルエステルの共重合体であるアクリル樹脂アルカノールアミン、ＢＥＭ−４２Ｓ、ＷＥＭ−２２Ｓ（大阪有機化学工業社製）、ガントレッツＥＳ−４２Ｓ、ＥＳ−２２５、ＥＳ−３３（ＩＳＰ社製）で代表されるメチルビニルエーテルとマレイン酸モノアルキルエステル共重合体、レジン２８−１３１０、レジン２８−２９３０（ＮＳＣ社製）、ルビセットＣＥ５０５５（バディッシュ社製）、酢酸ビニルとクロトン酸の共重合物、ウルトラホールド８（チバガイキー社製）で代表されるアクリル酸とアクリル酸アルキルエステルとＮ−アルキルアクリルアミドの共重合物、カルボキシメチルセルロース、カルボキシビニルポリマー、キサンタンガム、カラギーナン、アルギン酸ナトリウム、アラビアガム、ペクチン等が挙げられる。
【００２６】
更にまた、両性被膜形成性ポリマーの具体例としては、ＤＹＮＡＭ−Ｘ（ＮＳＣ社製）で代表される両性ウレタン樹脂、ユカフォーマーＳＭ（三菱化学社製）で代表されるジアルキルアミノエチルアクリレート、ダイアセトンアクリルアミド等と（メタ）アクリル酸、（メタ）アクリル酸アルキルエステル等を共重合し、ハロゲン化酢酸で両性化した化合物やアンフォマー（ＮＳＣ社製）で代表されるアクリル酸ヒドロキシプロピル、メタクリル酸ブチルアミノエチル、アクリル酸オクチルアミド共重合体等が挙げられる。この中でも整髪後のしなやかさ、ヘアスタイルの持続性の面でジアルキルアミノエチルアクリレート、ダイアセトンアクリルアミド等と（メタ）アクリル酸、（メタ）アクリル酸アルキルエステル等を共重合したものや両性ウレタン樹脂が特に好ましい。
【００２７】
上記皮膜形成性ポリマーの配合量は、特に限定はないが、０.０１〜４０％が好ましく、更には０.１〜２０％が好ましい。この範囲であれば、頭髪に均一な化粧膜を与え、頭髪の質感を光学的に変化させ、立体感、審美性、またその化粧効果の持続性に優れるという着色干渉繊維を配合することによる本発明の効果を充分に発揮できる。
【００２８】
本発明の頭髪化粧料の形態としては、特に制限はなく、固形、半固形、ジェル状、液状、エアゾールのフォームタイプ等が挙げられ、シャンプー、リンス、コンディショナー、ヘアクリーム、ヘアトリートメント、整髪料、染毛料等、特に限定はなく適用できるが、主にアウトバス使用を目的とした整髪料や染毛料への使用がより高い効果の発現が望め好ましい。また、擬似頭髪にも使用することができる。
【００２９】
さらに、本発明の効果をより高めるためには、製品自体が透明から半透明の外観を有することがより好ましい。なお、ここでいう半透明とは、製品外観において、本発明に用いられる着色干渉繊維の光干渉性が目視にて確認される程度の状態をいう。
【００３０】
更にまた、本発明の頭髪化粧料を頭髪に染毛効果を付与する一時染毛料やヘアカラーワックス等の整髪料とする場合は、上記成分の他、頭髪への着色効果を付与するために通常化粧品で使用される染料や顔料といった色素を用いることができる。これら染料や顔料の中でもＨＣ染料（ＨＣカラー）、塩基性染料を用いることが着色効果の持続性向上し、本発明の効果がより顕著になり、より好ましい。
【００３１】
本発明の頭髪化粧料には、以上説明した各成分に加え、さらに、本発明の効果を損なわない質的・量的範囲で、目標とする品質や効果に応じて、通常の頭髪化粧料に使用される炭化水素類、油脂類、ロウ類、エステル類、脂肪酸類、高級アルコール類、シリコーン類、フッ素系油剤類、ラノリン誘導体、油性ゲル化剤等の油性成分、界面活性剤、粉体、アルコール類、塩類、紫外線吸収剤、ビタミン類、植物抽出液、消炎剤、保湿剤、清涼剤、ヘアケア用の美容成分、酸化防止剤、ｐＨ調整剤、キレート剤、香料等を適宜添加することができる。
【００３２】
具体的に油性成分としては、流動パラフィン、スクワラン、ワセリン、ポリイソブチレン、ポリブテン、パラフィンワックス、セレシンワックス、マイクロクリスタリンワックス、エチレンプロピレンコポリマー、モクロウ、モンタンワックス、フィッシュトロプスワックス等の炭化水素類、オリーブ油、ヒマシ油、ホホバ油、ミンク油、マカデミアンナッツ油等の油脂類、ミツロウ、カルナウバワックス、キャンデリラワックス、ゲイロウ等のロウ類、セチルイソオクタネート、ミリスチン酸イソプロピル、パルミチン酸イソプロピル、ミリスチン酸オクチルドデシル、トリオクタン酸グリセリル、ジイソステアリン酸ポリグリセリル、トリイソステアリン酸ジグリセリル、トリベヘン酸グリセリル、ロジン酸ペンタエリトリットエステル、ジオクタン酸ネオペンチルグリコール、コレスレロール脂肪酸エステル、Ｎ−ラウロイル−Ｌ−グルタミン酸ジ（コレステリル・ベヘニル・オクチルドデシル）等のエステル類、ステアリン酸、ラウリン酸、ミリスチン酸、ベヘニン酸、イソステアリン酸、オレイン酸、１２−ヒドロキシステアリン酸等の脂肪酸類、ステアリルアルコール、セチルアルコール、ラウリルアルコール、オレイルアルコール、イソステアリルアルコール、ベヘニルアルコール等の高級アルコール類、低重合度ジメチルポリシロキサン、高重合度ジメチルポリシロキサン、アミノ変性ジメチルポリシロキサン、メチルフェニルポリシロキサン、デカメチルシクロペンタシロキサン、オクタメチルシクロテトラシロキサン、ポリエーテル変性ポリシロキサン、ポリオキシアルキレン・アルキルメチルポリシロキサン・メチルポリシロキサン共重合体、アルコキシ変性ポリシロキサン、架橋型オルガノポリシロキサン、フッ素変性ポリシロキサン等のシリコーン類、パーフルオロデカン、パーフルオロオクタン、パーフルオロポリエーテル等のフッ素系油剤類、ラノリン、酢酸ラノリン、ラノリン脂肪酸イソプロピル、ラノリンアルコール等のラノリン誘導体、デキストリン脂肪酸エステル、蔗糖脂肪酸エステル、デンプン脂肪酸エステル、１２−ヒドロキシステアリン酸アルミニウム、ステアリン酸カルシウム等の油性ゲル化剤等を使用することができる。
【００３３】
また、界面活性剤としては、種々の非イオン界面活性剤、アニオン界面活性剤、カチオン界面活性剤、両性界面活性剤が、粉体としては、タルク、カオリン、マイカ、合成マイカ、セリサイト、炭酸マグネシウム、炭酸カルシウム、ケイ酸アルミニウム、ケイ酸マグネシウム、ケイ酸アルミニウムマグネシウム、無水ケイ酸、炭化珪素、硫酸バリウム、ベントナイト、スメクタイト、酸化チタン、酸化亜鉛、酸化マグネシウム、酸化アルミニウム、ベンガラ、黄酸化鉄、黒酸化鉄、低次酸化チタン、チッ化硼素、酸化クロム、コンジョウ、群青、酸化鉄雲母、酸化鉄雲母チタン、雲母チタン、オキシ塩化ビスマス等の無機粉体、ナイロン粉末、ポリエチレン粉末、ポリスチレン粉末、シリコーン粉末、メチルメタアクリレート粉末、ポリテトラフルオロエチレンパウダー、ウールパウダー、シルクパウダー、結晶セルロース、タール系色素及びそのレーキ色素等の有機粉体及び有機顔料等を使用することができる。
【００３４】
更に、エチルアルコール、イソプロピルアルコール等のアルコール類、プロピレングリコール、１,３−ブチレングリコール、ジプロピレングリコール、ポリエチレングリコール等のグリコール類、グリセリン、ジグリセリン、ポリグリセリン等のグリセロール類、ソルビトール、マルチトール、ショ糖、でんぷん糖、ラクチトール等の糖類、塩化ナトリウム、塩化マグネシウム、乳酸ナトリウム等の塩類、ベンゾフェノン系、ＰＡＢＡ系、ケイ皮酸系、サリチル酸系、４−ｔｅｒｔ−ブチル−４’−メトキシジベンゾイルメタン、オキシベンゾン等の紫外線吸収剤、アロエベラ、ウィッチヘーゼル、ハマメリス、キュウリ、レモン、ラベンダー、ローズ、イチョウ等の植物抽出液、コンドロイチン硫酸ナトリウム、ヒアルロン酸ナトリウム等をそれぞれ使用することができる。
【実施例】
【００３５】
以下に実施例をあげて本発明を更に説明する。尚、これらは本発明を何ら限定するものではない。
【００３６】
実  施  例  １
ヘアワックス：
表１に示す処方および下記製造方法で、本発明品１〜３及び比較品１〜５のヘアワックスを調製し、それらのａ.頭髪への高彩度な化粧膜付与効果、ｂ.質感の変化、ｃ.化粧膜の均一性、ｄ.化粧効果の持続性  について下記の方法により官能評価を行った。その結果もあわせて表１に示す。
【００３７】
【表１】
2005314392.tif 000002
【００３８】
（製造方法）
＜本発明品１〜３及び比較品１〜５＞
Ａ.成分１〜４を７０℃で混合溶解する。
Ｂ.Ａに７０℃に加熱した予め混合溶解した成分５及び６を添加混合した後冷却し
て、４０℃にて成分７〜１５を添加する。
Ｃ.Ｂを透明ジャー容器に充填して完成品とする。
【００３９】
（評価方法）
１０名の官能検査パネルにより、各試料を下記ａ〜ｄについて、（１）の絶対評価基準を用いて７段階に評価し、各試料の評点の平均値を、更に（２）の４段階評価基準を用いて評価した。
（評価項目）
ａ.頭髪への高彩度な化粧膜付与効果
ｂ.質感の変化
ｃ.化粧膜の均一性
ｄ.化粧効果の持続性
【００４０】
（１）絶対評価基準
評  点  ：        評  価
６    ：  非常に良い（非常に大きい）
５    ：  良い（大きい）
４    ：  やや良い（やや大きい）
３    ：  普通
２    ：  やや悪い（やや小さい）
１    ：  悪い（小さい）
０    ：  非常に悪い（非常に小さい）
【００４１】
（２）４段階評価基準
評点の平均値            ：    評  価
５点を超える          ：  非常に良好（◎）
３点を超えて５点以下  ：  良好（○）
２点を超えて３点以下  ：  やや不良（△）
２点以下              ：  不良（×）
【００４２】
本発明品１〜３のヘアワックスは、その外観が半透明で美しいものであり、これを頭髪に用いると表１の結果から明らかなように、頭髪への高彩度な化粧膜付与効果、質感の変化、化粧膜の均一性、化粧効果の持続性のすべての面で優れた効果を発揮することがわかる。
【００４３】
一方、比較品１〜５のヘアワックスは、頭髪への高彩度な化粧膜や質感の変化の付与において劣るものであり、満足し得るものは得られなかった。
【００４４】
実  施  例  ２
スタイリングヘアカラーフォーム：
（成  分）                                                              （％）
＜  原  液  ＞
（１）エタノール                                                      ３
（２）塩化ステアリルトリメチルアンモニウム                            ０.３
（３）イソステアリン酸ポリオキシエチレン硬化ひまし油（５０Ｅ.Ｏ.）    ０.２
（４）香料                                                            ０.１
（５）精製水                                                          残量
（６）ヒドロキシエチルセルロース                                      ０.１
（７）ビニルピロリドン・Ｎ，Ｎ−ジメチルアミノエチルメタクリル酸
共重合体ジエチル硫酸塩                                              ２
（８）ビニルピロリドン・酢酸ビニル共重合体                            １
（９）着色干渉繊維※５                                              ２０
（１０）雲母チタン※６                                                  １
※5：黄色４号で着色した繊維（ポリエチレンテレフタレート、ナイロンを特開平
１１−１８２９号公報に従い、交互に３０層積層したもの、３Ｄ、０.５ｍ
ｍ）（黄色の干渉光を呈する）
※6：パーフルオロアルキルリン酸エステルジエタノールアミン塩５％処理
【００４５】
（製造方法）
Ａ.成分１〜４を混合したものを予め混合しておいた成分５〜６に加え混合する。
Ｂ.Ａに成分７〜１０を添加混合し、エアゾールの原液とする。
Ｃ.原液９４部と噴射剤であるＬ.Ｐ.Ｇ（液化石油ガス）６部をエアゾール缶に充填
してスタイリングヘアカラーフォームとする。
【００４６】
以上のようにして得られたスタイリングヘアカラーフォームは、頭髪への高彩度な化粧膜付与効果、光学的な質感の変化、化粧膜の均一性、化粧効果の持続性において優れたものであった。
【００４７】
実  施  例  ３
ヘアカラーワックス：
（成  分）                                                              （％）
（１）マイクロクリスタリンワックス                                      ５
（２）キャンデリラワックス                                              ３
（３）ポリオキシエチレン硬化ひまし油                                    ２
（４）流動パラフィン                                                  残量
（５）イソオクタン酸セチル                                            １０
（６）着色干渉繊維※７                                                ２０
※7：赤色１０６号、黄色４号で着色した繊維（ポリエチレンテレフタレート、ナ
イロン、ポリプロピレンを特開平１１−１８２９号公報に従い、交互に５１
層積層したもの、１０Ｄ、０.０５ｍｍ）（赤色の干渉光を呈する）
【００４８】
（製造方法）
Ａ.成分１〜５を均一に加熱混合する。
Ｂ.Ａに成分６を添加し均一に混合する。
Ｃ.Ｂを容器に充填して冷却し完成品とする。
【００４９】
以上のようにして得られたヘアカラーワックスは、頭髪への高彩度な化粧膜付与効果、光学的な質感の変化、化粧膜の均一性、化粧効果の持続性において優れたものであった。
【００５０】
実  施  例  ４
ヘアトリートメント：
（成  分）                                              （％）
（１）精製水                                          残量
（２）塩化アルキルトリメチルアンモニウム                ０.４
（３）パラオキシ安息香酸メチル                          ０.１
（４）ポリオキシエチレン硬化ひまし油                    ０.５
（５）セチルアルコール                                  １.５
（６）トリオクタン酸グリセリル                          １
（７）メチルフェニルポリシロキサン                      １.５
（８）ジメチルポリシロキサン                            ２
（９）プロピレングリコール                            １２
（１０）高重合メチルポリシロキサンエマルション※８        ３
（１１）真珠末                                            ０.１
（１２）カルボキシビニルポリマー                          ０.２
（１３）トリエタノールアミン                              ０.５
（１４）着色干渉繊維※９                                  １
※8：Ｘ−５２−２１６０（信越化学工業社製）
※9：赤色１０６号で着色し、無水ケイ酸２％処理を施した繊維（ポリプロピレ
ン、ナイロンを特開平１１−１８２９号公報に従い、交互に５０層積層した
もの、０.５Ｄ、３ｍｍ）（赤色の干渉光を呈する）
【００５１】
（製造方法）
Ａ.成分１〜４を加熱混合し、予め加熱混合しておいた成分５〜９を加え、乳化し、
冷却する。
Ｂ.Ａに成分１０〜１４を添加混合した後、スクイズ性ボトル容器に充填してヘアト
リートメントとする。
【００５２】
以上のようにして得られたヘアトリートメントは、均一で高彩度な化粧膜を付与し、光学的に質感を変化させる効果に優れ、化粧効果の持続性においても優れたものであった。
【００５３】
実  施  例  ５
ヘアカラーワックス：
（成  分）                                                              （％）
（１）アクリル−シリコーン系グラフト共重合体※１０                      ２
（２）マイクロクリスタリンワックス                                      ５
（３）キャンデリラワックス                                              ３
（４）ポリオキシエチレン硬化ひまし油                                    ２
（５）流動パラフィン                                                  残量
（６）イソオクタン酸セチル                                            １０
（７）着色干渉繊維※７                                                ５０
※10：ＫＰ−５６２(信越化学工業社製)
【００５４】
（製造方法）
Ａ.成分１〜６を均一に加熱混合する。
Ｂ.Ｂに成分７を添加し均一に混合する。
Ｃ.Ｂを容器に充填して冷却し完成品とする。
【００５５】
以上のようにして得られたヘアカラーワックスは、頭髪への高彩度な化粧膜付与効果、光学的な質感の変化、化粧膜の均一性、化粧効果の持続性において優れたものであった。
【００５６】
実  施  例  ６
透明ジェルワックス：
（成  分）                                              （％）
（１）精製水                                          残量
（２）カルボキシビニルポリマー                          ０.４
（３）パラオキシ安息香酸メチル                          ０.１
（４）ポリオキシエチレン硬化ひまし油                    ０.１
（５）エチルアルコール                                １０
（６）トリエタノールアミン                              ０.５
（７）ＥＤＴＡ二ナトリウム                              ０.１
（８）ウレタン樹脂※１１                                ５
（９）着色干渉繊維※８                                １０
※11：ＤＹＮＡＭ−Ｘ（ＮＳＣ社製）
【００５７】
（製造方法）
Ａ.成分１〜７を均一に混合する。
Ｂ.Ａに成分８を添加混合した後、成分９を混合し、透明ジャー容器に充填して透明
ジェルワックスとする。
【００５８】
以上のようにして得られた透明ジェルワックスは、外観も美しく、頭髪への均一で高彩度な化粧膜や光学的な質感変化の付与効果に優れ、その化粧効果の持続性にも優れたものであった。
【００５９】
実  施  例  ７
染毛料（ヘアマスカラ）：
（成  分）                                                              （％）
（１）アクリル酸・アクリル酸アルキル共重合体エマルション※11          ３
（２）精製水                                                        残量
（３）トリエタノールアミン                                            １
（４）着色干渉繊維※12                                              １０
（５）黒酸化鉄                                                        １
（６）雲母チタン※13                                                  １
（７）グリセリン                                                    １０
（８）フェノキシエタノール                                            ０.５
（９）ビタミンＥアセテート                                            ０.１
（１０）精製水                                                        １０
（１１）ＨＣカラー  赤２                                                ０.２
（１２）塩基性染料  青９９                                              ０.１
※11：プレキシトール  Ｂ−５００（固型分５０％）（ポリマーラテックス社製）
※12：１％赤色１０６号で着色した繊維（ポリエチレンテレフタレート、ナイロン
を特開平１１−１８２９号公報に従い、交互に３０層積層したもの、３Ｄ、
０.５ｍｍ）（赤色の干渉光を呈する）
※13：パーフルオロアルキルリン酸エステルジエタノールアミン塩５％処理
【００６０】
（製造方法）
Ａ.成分１〜３を混合し、成分４〜９を加え、均一に混合する。
Ｂ.Ａに予め混合溶解した成分１０〜１２を添加混合したのち、ヘアマスカラ容器に
充填してヘアマスカラとする。
【００６１】
以上のようにして得られた染毛料（ヘアマスカラ）は、頭髪に高彩度な化粧膜を付与する効果に優れ、光学的な質感の変化、化粧膜の均一性、化粧効果の持続性に優れたものであった。
【００６２】
実  施  例  ８
ヘアカラーワックス：
（成  分）                                                              （％）
（１）マイクロクリスタリンワックス                                      ５
（２）キャンデリラワックス                                              ３
（３）ポリオキシエチレン硬化ひまし油                                    ２
（４）流動パラフィン                                                  残量
（５）イソオクタン酸セチル                                            １０
（６）着色干渉繊維※14                                                １５
※14：紫色４０１号で着色した繊維（ポリエチレンテレフタレートおよびナイロン
を特開平１１−１８２９号公報に従い、交互に６１層積層したもの、９Ｄ、
０.５ｍｍ）（紫色の干渉光を呈する）
【００６３】
（製造方法）
Ａ.成分１〜５を均一に加熱混合する。
Ｂ.Ａに成分６を添加し均一に混合する。
Ｃ.Ｂを容器に充填して冷却し完成品とする。
【００６４】
以上のようにして得られたヘアカラーワックスは、頭髪への高彩度な化粧膜付与効果、光学的な質感の変化、化粧膜の均一性、化粧効果の持続性において極めて優れたものであった。
【産業上の利用可能性】
【００６５】
本発明の頭髪化粧料は、頭髪に均一で高彩度な化粧膜を与え、頭髪の質感を光学的に変化させるという、従来にない立体感、審美性を与え、さらにはその化粧効果の持続性に優れるという利点があるものである。
【００６６】
従って、本発明の頭髪化粧料は、化学反応による染毛剤を使用することなく、頭髪を多く見せたり、太く見せたりすることができ、髪の質感を変えるとともに、頭髪に高彩度な化粧膜を付与することのできるもの等として、有利に使用することができるものである。